(57)【要約】本発明は、機能性歯ブラシ柄及びその製造方法に関し、前記機能性歯ブラシ柄は、把柄部、ブラシ支持頚部及びブラシヘッド部を有する歯ブラシ柄と；前記歯ブラシ柄の把柄部に３点以上の固定点を形成して安定的な力の合力を形成し、指の滑りを防止して摩擦力を増加させ、歯ブラシ柄の円柱面の３６０度いずれの部位でも自由に把持できる少なくとも一つの指固定位置支持ハンドル部と；を含んでなる。【選択図】図１
2021508506.tif 000002
【特許請求の範囲】
【請求項１】
把柄部、ブラシ支持頚部及びブラシヘッド部を有する歯ブラシ柄と；
前記歯ブラシ柄の把柄部に３点以上の固定点を形成して安定的な力の合力を形成し、指の滑りを防止して摩擦力を増加させ、歯ブラシ柄の円柱面の３６０度いずれの部位でも自由に把持できる少なくとも一つの指固定位置支持ハンドル部と；が備えられることを特徴とする、機能性歯ブラシ柄。
【請求項２】
前記把柄部の外周面に突出し、
親指、人差し指の上部位置を定める第１指固定位置支持ハンドル部；
親指、人差し指の下部位置を定める第２指固定位置支持ハンドル部；
中指の位置を定める第３指固定位置支持ハンドル部；及び
第１、第２、第３指固定位置支持ハンドル部の間に指が定着されるように設けられる第１、第２支持凹溝；が備えられることを特徴とする、請求項１に記載の機能性歯ブラシ柄。
【請求項３】
前記把柄部の下端末端部分には、
薬指、小指及び手のひらが位置して支持されるように下端ラウンド支持部；がさらに備えられることを特徴とする、請求項１または２に記載の機能性歯ブラシ柄。
【請求項４】
前記第１指固定位置支持ハンドル部の先端とブラシ支持頚部との間には、親指、人差し指が位置してスリップを防止するグリップ部；がさらに備えられることを特徴とする、請求項２に記載の機能性歯ブラシ柄。
【請求項５】
前記歯ブラシ柄の重心を把柄部の末端部分に位置させ、歯ブラシを落としても把柄部から床面に接触するようにするとともに、指固定位置支持ハンドル部が刷毛と一定の角度をなし、ブラシ支持頚部が傾設されてブラシヘッド部の刷毛が床面に接触しないようにすることにより、接触面による汚染を防止することを特徴とする、請求項１に記載の機能性歯ブラシ柄。
【請求項６】
前記把柄部、及び該把柄部の外部に突出した指固定位置支持ハンドル部は、回転を容易にするために円形からなることを特徴とする、請求項１に記載の機能性歯ブラシ柄。
【請求項７】
前記歯ブラシ柄には、
１月から１２月までをそれぞれ歯ブラシ柄の当該月表記部に数字で明示するか或いは１２種類の色で表示して、月が変わったら歯ブラシ柄を交換するようにすることにより、刷毛の歯面細菌膜の除去効率が高い状態で使用できるように口腔衛生意識を高める心理的、教育的装置を提供することを特徴とする、請求項１に記載の機能性歯ブラシ柄。
【請求項８】
前記ブラシヘッド部は、
デイリー歯ブラシ、先端歯ブラシ、歯間ブラシ、及び乳幼児歯ブラシ用の中から選択されたいずれか一つからなることを特徴とする、請求項１に記載の機能性歯ブラシ柄。
【請求項９】
請求項１に記載の機能性歯ブラシ柄を製造するにあたり、ユーザの手の解剖学的構造に合わせてユーザカスタムの運動適合性を最大化することができ、３次元スキャニングと３次元印刷でユーザカスタムの解剖学的適合度をさらに増加させるために、障害者を含むユーザの手の解剖学的構造データをコンピュータに入力するステップと、
障碍者を含むユーザの手の解剖学的構造カスタムの歯ブラシ柄デザインデータを生成するステップと、
コンピュータが３Ｄプリンタへ３次元データを伝送するステップと、
３Ｄプリンタが３次元データに基づいて立体的な歯ブラシ柄を生成するステップとを経て、歯ブラシ柄のカスタムメイド製作が可能であることを特徴とする、機能性歯ブラシ柄の製造方法。
【発明の詳細な説明】
【技術分野】
【０００１】
本発明の実施形態は、機能性歯ブラシ柄及びその製造方法に関し、より詳細には、歯ブラシ柄の指固定位置支持ハンドル部が指固定位置構造物による３点以上の固定点を形成して安定的な力の合力を形成するようにし、かつ、指の滑りを防止して摩擦力を増加させて安定的なグリップを可能にし、かつ、３６０度回転可能に設計されていずれの方向にもグリップを自由にして口腔内のどこへでも刷毛が安定的で正確に到達するようにし、これにより口腔内のすべての表面（歯の表面、粘膜の表面、舌）の細菌膜を正確で効率よく除去することができるようにする。また、適切な時期に歯ブラシを交換することができるようにして刷毛の歯面細菌膜の除去効率が高い状態で使用できるようにする。また、ユーザカスタムの歯ブラシ柄を製作して提供する。
【背景技術】
【０００２】
周知の如く、歯ブラシは、歯磨き粉と一緒に使用される口腔衛生の用具である。
【０００３】
歯ブラシに関しては、１４５０年頃、イタリアの保健書籍に木製の楊枝による掃除法が記載されている。柄に毛を植設してある歯ブラシは、１６００年代に登場し、１７８０年には英国で製造されたという。また、第二次世界大戦後には、ナイロン製の刷毛とアクリル系樹脂製の柄を使用した歯ブラシが開発され、今日に至っている。
【０００４】
刷毛を植えた部分の形態もボンベイ型やストレート型などの様々な種類があるが、口腔衛生上、現在はストレート型が一般的である。歯を磨く方法は、回転法が世界的に認められており、この方法を実施しやくするために歯ブラシ柄に人間工学的な角度が与えられている。
【０００５】
しかし、前述した従来の歯ブラシは、次の多くの問題点が生じた。
【０００６】
第一に、従来の歯ブラシ柄は、親指力支持点が植毛面と同じ面に一つのみ存在して上下方向への回転変位を制限して、ユーザに画一化された歯磨きを誘導するという問題点が生じた。
【０００７】
第二に、従来の歯ブラシ柄は、親指力支持点が植毛面と同じ面に一つのみ存在して様々な方向に歯磨き運動するときに正確な位置に刷毛が到達するためには、肘を上に持ち上げたり、手首を折ったり、頭を斜めに傾けたりしなければならないので、位置安定性が低くて歯磨き運動時に目標歯の歯磨き領域から外れて目標歯への正確な歯磨きができないか或いは粘膜を損傷させるという問題点が生じた。
【０００８】
第三に、従来の歯ブラシ柄は、５本のすべての手指が把柄部を力を入れて握って使用するので、歯磨き時に運動自由度が制限され、また、刷毛に過重な力を集中させるようになり、目標歯への正確な歯磨きができないか或いは粘膜を損傷させるという問題点が生じた。
【０００９】
第四に、従来の歯ブラシ柄は、親指力支持点だけでなく、その反対面に上下方向に２つの支持点を形成するので、歯ブラシの長軸方向の運動時に支持点を中心に回転力を造成するようになり、歯ブラシの長軸に対して刷毛に上下に揺れが発生して目標歯への正確な歯磨きができないか或いは粘膜を損傷させるという問題点が生じた。
【００１０】
第五に、従来の歯ブラシ柄は、親指力支持点だけでなく、その反対面に上下方向に２つの支持点を形成するので、歯ブラシの横軸方向の運動時に支持点を中心に回転力を造成するようになり、歯ブラシの長軸に対して刷毛に上下に揺れが発生して目標歯への正確な歯磨きができないか或いは粘膜を損傷させるという問題点が生じた。
【００１１】
第六に、従来の歯ブラシ柄は、親指力支持点だけでなく、その反対面に上下方向に２つの支持点を形成するので、歯ブラシの回転運動時に支持点を中心に別の回転力を造成するようになり、歯ブラシの長軸に対して刷毛に上下に揺れが発生して目標歯への正確な歯磨きができないか或いは粘膜を損傷させるという問題点が生じた。
【００１２】
第七に、従来の歯ブラシ柄は、構造上、洗面台に置いておくと、刷毛が洗面台または浴槽面に接触し、床に落とした場合には床面の汚染物質と接触するという問題点が生じた。
【００１３】
第八に、従来の歯ブラシ柄は、刷毛に対して上下面が存在する把柄部構造を慣習的に提供して、ユーザに画一化された歯磨きを誘導するという問題点が生じた。
【００１４】
第九に、従来の歯ブラシ柄は、親指と残りの４本の指によって形成される対向する２つの支持点は二つのベクトルを意味するので、ベクトルの長さ調節による安定を図ることができず、持続的に回転力が発生するという問題点が生じた。
【００１５】
第十に、従来の歯ブラシ柄は、前歯部の歯磨きの際に、臼歯部に比べて頬による固定が少ないから、特に固定された表面と裏面を２点固定することにより回転力が発生して刷毛の位置が不安定なので刷毛に上下に揺れが発生して目標歯への正確な歯磨きができないか或いは歯ブラシが滑って粘膜を損傷させるという問題点が生じた。
【００１６】
第十一に、従来の歯ブラシ柄は、身体機能が正常である人達を対象に製作され、正常人に比べて腕の長さ、手の長さ、指の長さにバラツキがあるユーザ（障害者を含む）は、不便を甘受して使用するか、或いは障害者向けの特殊製作歯ブラシを注文製作して使用しなければならないという問題点が生じた。
【００１７】
第十二に、従来の歯ブラシ柄は、交換時期を正確に分かることができないため、変色物質が刷毛に含有されるか或いは把柄部の色が変わることなどから使用期間を認識しようとしたが、効果は微々たるものであるという問題点が生じた。
【００１８】
上述した問題点を解決するために、従来では下記の先行技術文献が出願されたが、依然として、上述した従来技術の問題点を一挙に解決することができないという大きな問題点が生じた。
【先行技術文献】
【特許文献】
【００１９】
【特許文献１】韓国公開特許第１９９９−００７１８０９号明細書（１９９９年９年２７日公開）
【特許文献２】韓国公開特許第２０１３−０１０６７３４号明細書（２０１３年９月３０日公開
【特許文献３】韓国特許第１２５３５９４号明細書（２０１３年４月５日登録）
【特許文献４】韓国公開特許第２０１５−０１３８２９４号明細書（２０１５年１２月９日公開）
【特許文献５】韓国登録実用新案第０３７４５２０号明細書（２００５年１月２０日登録）
【発明の概要】
【発明が解決しようとする課題】
【００２０】
本発明では、親指（以下、第１指という）、人差し指（以下、第２指という）、中指（以下、第３指という）、薬指（以下、第４指という）、小指（以下、第５指という）を、説明の便宜上、上記の番号で表記することにする。
【００２１】
本発明は、上述した従来技術の諸般問題点を解消するためになされたもので、歯ブラシ柄に第１、第２、第３指固定位置支持ハンドル部と、第１、第２支持凹溝、下端ラウンド支持部、グリップ部、ブラシ支持頚部及びブラシヘッド部が備えられる機能性歯ブラシ柄を提供することを第１の目的とする。上述した技術的構成による本発明の第２の目的は、歯ブラシ柄の３６０度いずれの部位でも第１、第２指固定位置支持ハンドル部（以下、「構造物」ともいう）を介して第１指を支持点として使用できるようにして回転変位の制限がないようにするとともに、第３指固定位置支持ハンドル部を追加して第１、第２、第３指が歯ブラシ柄の円柱面を２点または３点支持することができるようにした機能性歯ブラシ柄を提供することにあり、第３の目的は、歯ブラシ柄の円柱面２点または３点支持によって、歯磨き時の刷毛の変位を最小化し、ユーザが予想した目標歯の歯磨き運動範囲から外れることを最小限に抑え、刷毛に適用される力の大きさを適切に調節可能にして歯磨きの効率を極大化し、粘膜損傷などの副作用を最小限に抑えることができる機能性歯ブラシ柄を提供することにあり、第４の目的は、第１、第２、第３指の三本の指が前方の刷毛近くで円柱面の第１、第２指固定位置支持ハンドル部を介して２つまたは３つの支持点を形成し、第４、第５指の間と手のひらで下端ラウンド支持部を介して１つの支持点を形成して合計３つ以上の支持点を形成する機能性歯ブラシ柄を提供することにあり、第５の目的は、３つの支持点によって三角形、または４つの支持点によって四角形のベクトル和を形成して合力が０となる静的な安定性を取得し、運動方向に対して回転力を造成せず、歯ブラシの長軸方向への運動時にバス法の振動を安定的に形成する機能性歯ブラシ柄を提供することにあり、第６の目的は、手の中で小さな３点三角形または４点四角形のベクトル和を形成して位置安定性を取得した後、脇を胴体に付けて歯ブラシ柄を手で持って歯に位置させたときに脇−手−歯の大きな３点三角形のベクトル和を形成しやすいので、目標にした歯を磨く歯磨きの変位を狭めることができて正確な目標歯に効率の良い大きさの力で安定かつ効率の良い歯磨きを行うことができ、刷毛の変形や歯間ブラシの折れまたは撓みの可能性を最小限に抑えることができるようにした機能性歯ブラシ柄を提供することにあり、第７の目的は、位置安定性が極大化されるので、歯磨き中に歯ブラシにより発生する口腔内粘膜の損傷を最小限に抑えることができるようにした機能性歯ブラシ柄を提供することにあり、第８の目的は、支持点の位置を指定する第３構造物（指固定位置支持ハンドル部）によって重心が歯ブラシ柄の末端にあり、落としても把柄部から床面に接触するようになり、第１構造物が常に刷毛と一定の角度をなして刷毛の床面接触を防止することにより接触面による汚染を防止する機能を含む機能性歯ブラシ柄を提供することにあり、第９の目的は、ユーザの手の解剖学的構造に合わせてユーザカスタムの運動適合性を最大化することができ、また、３次元スキャニングと３次元印刷でユーザカスタムの解剖学的適合度をさらに増加させ、運動適合性もさらに増加させることができるようにした機能性歯ブラシ柄を提供することにあり、第１０の目的は、本発明の歯ブラシ柄で製作された歯ブラシが、３つまたは４つのベクトルを形成するので、３つまたは４つのベクトルの長さ調節があっても力の合力は０になることができて安定的な構造を形成維持することができ、これにより腕の長さ、手の長さ、指の長さが違っても（障害者を含む）３つのベクトルさえあれば誰でも安定的に歯磨きを行うことができるようにすることにあり、第１１の目的は、前歯部の歯磨きの際に第１、第２構造物に第２指の第一節を位置させ、第１、第３指で第２、第４構造物の左右を持って第４、第５指と手のひらに第３構造物を位置させて３点ベクトル三角形を形成することにより安定的に歯磨きを行うことができ、また、下顎前歯用歯ブラシを逆に持って第１、第２構造物の間に第１、第３指を位置させ、第２、第４構造物の間に第２指を位置させて３点ベクトル三角形を形成することにより安定的に歯磨きを行うことができ、その他にさまざまな歯磨き方法を３６０度の角度ごとに算出することができるようにした機能性歯ブラシ柄を提供することにあり、第１２の目的は、様々な腕の長さ、手の長さ、指の長さのユーザ（障害者を含む）に歯磨きを可能にすることができるとともに、３次元スキャニングと３次元印刷でユーザの腕の長さ、手の長さ、指の長さに合わせてカスタムメイド製作が可能なので、歯磨きの効率を増加させることができるようにした機能性歯ブラシ柄を提供することにあり、第１３の目的は、本発明の歯ブラシ柄が、１ヶ月の使用期間（１日１回使用時）を制限して、心理的教育的装置として歯ブラシ柄に１月から１２月までをそれぞれ数字で明示するか或いは１２種類の色で表示して、月が変わったら交換するようにすることにより、刷毛の歯面細菌膜の除去効率が高い状態で使用することができるように口腔衛生意識を高める機能性歯ブラシ柄を提供することにある。
【課題を解決するための手段】
【００２２】
上記目的を達成するために、本発明は、把柄部、ブラシ支持頚部及びブラシヘッド部を有する歯ブラシ柄と；前記歯ブラシ柄の把柄部に３点以上の固定点を形成して安定的な力の合力を形成し、指の滑りを防止して摩擦力を増加させ、歯ブラシ柄の円柱面の３６０度いずれの部位でも自由に把持できる少なくとも一つの指固定位置支持ハンドル部と；が備えられることを特徴とする機能性歯ブラシ柄を提供する。
【００２３】
また、本発明は、機能性歯ブラシ柄を製造するにあたり、ユーザの手の解剖学的構造に合わせてユーザカスタムの運動適合性を最大化することができ、３次元スキャニングと３次元印刷でユーザカスタムの解剖学的適合度をさらに増加させるために、障害者を含むユーザの手の解剖学的構造データをコンピュータに入力するステップと、コンピュータが３Ｄプリンタへ３次元データを伝送するステップと、３Ｄプリンタが３次元データに基づいて立体的な歯ブラシ柄を生成するステップとを経て、歯ブラシ柄のカスタムメイド製作が可能であることを特徴とする、機能性歯ブラシ柄の製造方法を提供する。
【発明の効果】
【００２４】
上述したように、本発明は、歯ブラシ柄に第１、２、３指固定位置支持ハンドル部、第１、２支持凹溝、下端ラウンド支持部、グリップ部、ブラシ支持頚部、及びブラシヘッド部が備えられるようにしたものである。
【００２５】
上述した技術的構成による本発明の歯ブラシ柄は、円柱面の３６０度いずれの部位でも第１、２指固定位置支持ハンドル部（以下、「構造物」ともいう）を介して第１指を支持点として使用できるようにして回転変位の制限がないようにするとともに、第３指固定位置支持ハンドル部を追加して第１、２、３指がすべて歯磨きの際に歯ブラシ柄の円柱面の２点または３点を支持することができるようにしたものである。
【００２６】
また、本発明の歯ブラシ柄は、すべての指が自由な円柱面２点または３点支持によって、歯磨きの際に刷毛の変位を最小化し、ユーザが予想した目標歯の歯磨き運動範囲から外れることを最小限に抑え、刷毛に適用される力の大きさを適切に調節可能にして歯磨きの効率を極大化し、粘膜損傷などの副作用を最小限に抑えるものである。
【００２７】
また、本発明の歯ブラシ柄は、第１、第２、第３指の三本の指が前方の刷毛近くで円柱面の第１、第２指固定位置支持ハンドル部を介して２つまたは３つの支持点を形成し、第４、第５指の間と手のひらで下端ラウンド支持部を介して１つの支持点を形成して合計３つ以上の支持点を形成するものである。
【００２８】
また、本発明の歯ブラシ柄は、３つの支持点によって三角形、または４つの支持点によって四角形のベクトル和を形成して合力が０となる静的な安定性を取得することにより、運動方向に対して回転力を造成せずに歯ブラシの長軸方向への運動時にバス法の振動を安定的に形成するものである。
【００２９】
また、本発明の歯ブラシ柄は、手の中で小さな３点三角形または４点四角形のベクトル和を形成して位置安定性を取得した後、脇を胴体に付け、歯ブラシ柄を手で持って歯に位置させたときに脇−手−歯の大きな３点三角形のベクトル和を形成しやすいので、目標にした歯を磨く歯磨きの変位を狭めることができるため、正確な目標歯に効率的な大きさの力で安定かつ効率の良い歯磨きを行うことができ、刷毛の変形や歯間ブラシの折れまたは撓みの可能性を最小限に抑えることができるようにしたものである。
【００３０】
また、本発明の歯ブラシ柄は、位置安定性が極大化されるので、歯磨き中に歯ブラシにより発生する口腔内粘膜の損傷を最小限に抑えることができるようにしたものである。
【００３１】
また、本発明の歯ブラシ柄は、支持点の位置を指定する第３構造物（指固定位置支持ハンドル部）によって重心が歯ブラシ柄の末端にあり、落としても把柄部から床面に接触するようになり、第１構造物が常に刷毛と一定の角度をなして刷毛の底面接触を防止することにより接触面による汚染を防止する機能を含む。
【００３２】
また、本発明の歯ブラシ柄は、ユーザの手の解剖学的構造に合わせてユーザカスタムの運動適合性を最大化することができるとともに、３次元スキャニングと３次元印刷でユーザカスタムの解剖学的適合度をさらに増加させ、運動適合性もさらに増加させることができるようにしたものである。
【００３３】
特に、本発明の歯ブラシ柄で製作された歯ブラシは、３つまたは４つのベクトルを形成するので、３つまたは４つのベクトルの長さ調節があっても力の合力は０になることができて安定的な構造を形成維持することができ、これは、腕の長さ、手の長さ、指の長さが違っても（障害者を含む）３つのベクトルさえあれば誰でも安定的に歯磨きを行うことができるようにしたものである。
【００３４】
また、本発明の歯ブラシ柄は、前歯部の歯磨きの際に第１、第２構造物に第２指の第一節を位置させ、第１、第３指で第２、第４構造物の左右を持って第４、第５指と手のひらに第３構造物を位置させて３点ベクトル三角形を形成することにより、安定的に歯磨きを行うことができ、また、下顎前歯用歯ブラシを逆に持って第１、第２構造物の間に第１、第３指を位置させ、第２、第４構造物の間に第２指を位置させて３点ベクトル三角形を形成することにより安定的に歯磨きを行うことができ、その他にさまざまな歯磨き方法を３６０度の角度ごとに算出することができるようにしたものである。
【００３５】
また、本発明の歯ブラシ柄は、様々な腕の長さ、手の長さ、指の長さのユーザ（障害者を含む）に歯磨きを可能にすることができるとともに、３次元スキャニングと３次元印刷でユーザの腕の長さ、手の長さ、指の長さに合わせてカスタムメイド製作が可能なので、歯磨きの効率を増加させることができるようにしたものである。
【００３６】
最後に、本発明の歯ブラシ柄は、１ヶ月の使用期間（１日１回使用時）を制限して、歯ブラシ柄に１月から１２月までをそれぞれ数字で明示して、月が変わったら交換するようにすることにより、刷毛の歯面細菌膜の除去効率が高い状態で使用することができるように口腔衛生意識を高める心理的、教育的装置を含む非常に有用な発明である。
【００３７】
以下、これらの効果を達成するための本発明の好適な実施形態を添付図面に基づいて詳細に説明する。
【図面の簡単な説明】
【００３８】
【図１】本発明が適用された機能性歯ブラシの斜視図である。
【図２】本発明が適用された機能性歯ブラシの正面図である。
【図３】本発明が適用された機能性歯ブラシの平面図である。
【図４】本発明のデイリー歯ブラシの把柄部を握るグリップ法を示す。
【図５】本発明のデイリー歯ブラシの把柄部を握るグリップ法を示す（前歯部）。
【図６】本発明の歯間ブラシの把柄部を握るグリップ法を示す。
【図７】本発明の先端歯ブラシの把柄部を握るグリップ法を示す。
【図８】本発明のデイリー歯ブラシの基本的な把柄部の使い方を示す。
【図９】本発明のデイリー歯ブラシの様々な使い方を示す。
【図１０】本発明のデイリー歯ブラシの使用状態図である。
【発明を実施するための形態】
【００３９】
本  発明に係る機能性歯ブラシ柄及びその製造方法は、図１乃至図１０に示すように構成される。
【００４０】
以下、本発明を説明するにあたり、関連する公知の機能または構成についての具体的な説明が本発明の要旨を不必要に曖昧にするおそれがあると判断された場合には、その詳細な説明は省略する。
【００４１】
そして、後述される用語は、本発明における機能を考慮して設定された用語であって、これは生産者の意図または慣例によって変わり得るので、その定義は本明細書の全般にわたった内容に基づいて下されるべきである。
【００４２】
また、図面で示された各構成の大きさ及び厚さは、説明の便宜のために任意に示したので、本発明は、必ずしも図面に示されたところに限定されない。
【００４３】
まず、本発明は、把柄部１１０、ブラシ支持頚部１１８及びブラシヘッド部１１９を有する歯ブラシ柄１００が備えられる。
【００４４】
本発明は、前記歯ブラシ柄１００の把柄部１１０に３点以上の固定点を形成して安定的な力の合力を形成し、指の滑りを防止して摩擦力を増加させ、歯ブラシ柄の円柱面の３６０度いずれの面でも少なくとも一つの指固定位置支持ハンドル部が備えられることを特徴とする機能性歯ブラシを提供する。
【００４５】
特に、本発明は、前記把柄部１１０の外周面に突出し、
親指、人差し指の上部位置を定める第１指固定位置支持ハンドル部１１１が備えられる。
【００４６】
さらに、親指、人差し指の下部位置を定める第２指固定位置支持ハンドル部１１２が備えられる。
【００４７】
そして、中指の位置を定める第３指固定位置支持ハンドル部１１３が備えられる。
【００４８】
この時、第１、第２、第３指固定位置支持ハンドル部１１１、１１２、１１３の間には、指が定着されるように第１、第２支持凹溝１１４、１１５が備えられる。
【００４９】
また、本発明に係る前記把柄部１１０の下端末端部分には、薬指、小指及び手のひらが位置して支持されるように下端ラウンド支持部１１６が備えられる。
【００５０】
これに加えて、本発明に係る前記第１指固定位置支持ハンドル部１１１の先端とブラシ支持頚部１１８の間には、親指、人差し指が位置して滑りを防止するグリップ部１１７が備えられる。
【００５１】
特に、本発明は、前記歯ブラシ１００の重心を把柄部１１０の末端部分に位置させ、歯ブラシを落としても把柄部から床に接触するようにするとともに、指固定位置支持ハンドル部が刷毛と一定の角度をなし、ブラシ支持頚部１１８が傾設されてブラシヘッド部１１９の刷毛が床に接触しないようにすることにより、接触面による汚染を防止する。
【００５２】
また、本発明に係る前記把柄部１１０と、該把柄部の外部に突出した指固定位置支持ハンドル部は、回転を容易にするために円形からなることが好ましい。
【００５３】
また、本発明に係る前記歯ブラシ柄１００には、口腔衛生意識を高める心理的、教育的装置として歯ブラシ柄の当該月表記部１２０に１月から１２月までをそれぞれ数字で明示するか或いは１２種類の色で表示して、月が変わったら歯ブラシ柄を交換するようにすることにより、刷毛の歯面細菌膜の除去効率が高い状態で使用できるようにする。
【００５４】
最後に、本発明に係る前記ブラシヘッド部１１９は、デイリー歯ブラシ、先端歯ブラシ、歯間ブラシ、乳幼児歯ブラシ用などの多様なタイプの刷毛が適用できる。
【００５５】
一方、本発明は、上記の構成部を適用するにあたり、様々に変形でき、さまざまな形態を取ることができる。
【００５６】
そして、本発明は、上述の詳細な説明に記載されている特別な形態に限定されるものではないと理解されるべきであり、むしろ添付された特許請求の範囲によって定義される本発明の精神と範囲内にあるすべての変形物、均等物及び代替物を含むものと理解されるべきである。
【００５７】
以下、上述したように構成された本発明の機能性歯ブラシ柄の作用効果を説明する。
【００５８】
まず、本発明は、歯ブラシ柄の指固定位置支持ハンドル部が指固定位置構造物による３点以上の固定点を形成して安定的な力の合力を形成するようにし、かつ、指の滑りを防止して摩擦力を増加させて安定的なグリップを可能にし、かつ、歯ブラシ柄の円柱面の３６０度いずれの面でもグリップを自由にして口腔内のどこへでも刷毛が安定的に到達するようにする。
【００５９】
図１は本発明に係る機能性歯ブラシ柄１００の斜視図を示すものであり、ここでのブラシヘッド部はデイリー歯ブラシ用を示す。
【００６０】
図２は本発明に係る機能性歯ブラシ柄１００の正面図を示すもので、本発明の歯ブラシの支持点位置を指定する第３構造物（指固定位置支持ハンドル部）によって重心が歯ブラシの末端にあり、落としても把柄部から床に接触するようになり、第１構造物が常に刷毛と一定の角度をなして刷毛の底面接触を防止することにより接触面による汚染を防止する機能を実現する。
【００６１】
図３は本発明に係る機能性歯ブラシ柄１００のデイリー歯ブラシの平面図を示すものである。
【００６２】
図４は本発明のデイリー歯ブラシの把柄部を握るグリップ法を示すもので、親指の位置、刷毛の正面、刷毛の左側、刷毛の右側、刷毛の背面を示す。
【００６３】
図５は本発明のデイリー歯ブラシの把柄部を握るグリップ法（前歯部）を示すもので、デイリー歯ブラシを逆立てたりまっすぐに立てたりして使用する方法を示す。
【００６４】
図６は本発明の歯間ブラシの把柄部を握るグリップ法を示すもので、左の写真は第３指刷毛後方支持の背面を示すものであり、次は第３指後方支持と第１、第２指の高さを異にして左右グリップの前面を示すものであり、次は第３指後方支持と第１、第２指の高さを異にして左右グリップの前面を示すものであり、次は第３指後方支持と第１、第２指の左右グリップの前面左頬側、右舌側を示すものである。
【００６５】
図７は本発明の先端歯ブラシの把柄部を握るグリップ法を示すもので、左の写真は第２指後方支持および第１、第３指の左右グリップの背面右頬側と左舌側を示すものであり、次は第２指後方支持および第１、第３指の左右グリップの正面右頬側と左舌側を示すものであり、次は第２指後方支持および第１、第３指の左右グリップの右側面右頬側と左舌側を示すものである。
【００６６】
一方、本発明の歯ブラシ柄１００は、親指の位置が把柄部１１０の円柱面の３６０度いずれの面でもどこでも可能であって、安定的な支持を得ることができる。
【００６７】
つまり、内側に横になっている下顎歯舌面側を磨くときを比較すると、
手首を折ったり、腕を持ち上げたり、首を傾けたりせず、安定かつ便利かつ効率的に歯と歯茎を磨くことができる。
【００６８】
特に腕を持ち上げなくて脇を胴に付ける１点、把柄部を握る２点、歯に接触する３点が固定されて肘から手首までに短い腕の長さを持つ安定的なｃｌｏｓｅｄ  ｖｅｃｔｏｒ  ｓｙｓｔｅｍを実現する。
【００６９】
次に、本発明の歯ブラシ柄１００の使用方法をより具体的に説明する。
【００７０】
図８は本発明のデイリー歯ブラシの基本的な把柄部の使い方を示すもので、いずれの角度でも親指の歯ブラシ支持が可能であり、残りの指は第１、第２、第３指固定位置支持ハンドル部１１１、１１２、１１３及び第１、第２支持凹溝１１４、１１５によって安定的に固定が可能である。
【００７１】
図９は本発明のデイリー歯ブラシのさまざまな使い方を示すものであり、図１０は本発明のデイリー歯ブラシの使用状態図を示すものである。
【００７２】
前述した本発明の歯ブラシ柄１００は、３６０度いずれの部位でも第１、第２構造物を介して親指を支持点として使用できるようにして、回転変位の制限がない。また、第４構造物を追加して、第１、第２、第３指がすべて歯ブラシの歯磨き時の上下面を支持することができる。
【００７３】
また、本発明の歯ブラシ柄１００は、すべての指の支持点位置を限定して歯磨き時に不必要な変位を最小化し、ユーザが予想した歯磨きの運動範囲から外れることを最小限に抑えることにより、歯磨きの目標である歯面細菌膜の除去効率を極大化する。
【００７４】
また、本発明の歯ブラシ柄１００は、第１、第２、第３指の三本の指が前方の刷毛近くで第１、第２構造物を介して２つの上下支持点を形成し、第４、第５指の間と手のひらで第３構造物を介して１つの支持点を形成することにより、３次元空間上で３つの辺からなるベクトル三角形を形成する。
【００７５】
また、本発明の歯ブラシ柄１００は、３つの支持点によって三角形ベクトル和を形成して合力が０となる静的な安定性を取得して、各運動方向に対して回転力を造成せずに、歯ブラシの長軸方向への振動と歯ブラシの横軸方向への回転を安定的に形成する。
【００７６】
また、本発明の歯ブラシ柄１００は、手の中で第１、第２、第３指と第４、第５指と手のひらの小さな３点三角形のベクトル和を形成して位置安定性を取得した後、脇を胴体に付けて歯ブラシを手で持って歯に位置させたときに脇−手−歯の大きな３点三角形のベクトル和を形成しやすいので、目標にした歯を磨く歯磨きの変位を狭めることができるため、正確な目標歯に安定且つ効率の良い歯磨き運動を可能にして、歯面細菌膜の除去効率を極大化することができる。
【００７７】
また、本発明の歯ブラシ柄１００の位置安定性が極大化されるので、歯磨き中に歯ブラシにより発生する口腔内粘膜の損傷を最小限に抑えることができる。
【００７８】
また、本発明の歯ブラシ柄１００の支持点位置を指定する第１構造物によって重心が歯ブラシの把柄部の末端にあり、落としても把柄部から床に接触するようになり、第１構造物が常に刷毛と一定の角度をなして刷毛の床面接触を防止することにより、接触面による汚染を防止する機能を含む。
【００７９】
また、本発明の歯ブラシ柄１００は、ユーザの手の解剖学的構造に合わせて３次元スキャニングと３次元印刷を行ってユーザカスタムの運動適合性をさらに最大化することができる。
【００８０】
また、本発明の歯ブラシ柄１００は、３つのベクトルを形成するので、３つのベクトルの長さ調節があっても力の合力は０になることができて安定的な構造を形成維持することができる。これは、腕の長さ、手の長さ、指の長さが違っても（障害者を含む）３つのベクトルさえあれば誰でも安定的に歯磨きを行うことができることを意味する。
【００８１】
最後に、本発明歯ブラシ柄１００は、前歯部の歯磨き時に第１、第２構造物に第２指の第一節を位置させ、第１、第３指で第２、第４構造物の左右を持って第４、第５指と手のひらに第３構造物を位置させて安定的に歯磨きを行うことができる。また、下顎前歯用歯ブラシを逆に持って第１、第２構造物の間に第１、第３指を位置させ、第２、第４構造物の間に第２指を位置させて３点ベクトル三角形を形成することにより、安定的に歯磨きを行うことができる。その他に、さまざまな歯磨き方法を３６０度の角度ごとに算出することができる。
【００８２】
また、本発明は、機能性歯ブラシ柄１００を製造するにあたり、ユーザの手の解剖学的構造に合わせてユーザカスタムの運動適合性を最大化することができ、３次元スキャニングと３次元印刷でユーザカスタムの解剖学的適合度をさらに増加させるために、障害者を含むユーザの手の解剖学的構造データをコンピュータに入力するステップと、障害者を含むユーザの手の解剖学的構造カスタムの歯ブラシ柄デザインデータを生成するステップと、コンピュータが３Ｄプリンタに３次元データを伝送するステップと、３Ｄプリンタが３次元データに基づいて立体的な歯ブラシ柄を生成するステップとを経て、歯ブラシ柄のカスタムメイド製作が可能であることを特徴とする、機能性歯ブラシ柄の製造方法を提供する。
【産業上の利用可能性】
【００８３】
本発明の機能性歯ブラシの技術的思想は、実際に同じ結果を繰り返し実施可能なものであって、特にこのような本発明を実施することにより、技術の発展を促進して産業の発展に貢献することができるため、保護する価値が十分にある。
【符号の説明】
【００８４】
１００    ブラシ柄
１１１、１１２、１１３    第１、第２、第３指固定位置支持ハンドル部
１１４、１１５    第１、第２支持凹溝
１１６    下端ラウンド支持部
１１７    グリップ部
１１８    ブラシ支持頚部
１１９    ブラシヘッド部
１２０    歯ブラシ柄の該当月表記部
【図１】
2021508506.tif 000003
【図２】
2021508506.tif 000004
【図３】
2021508506.tif 000005
【図４】
2021508506.tif 000006
【図５】
2021508506.tif 000007
【図６】
2021508506.tif 000008
【図７】
2021508506.tif 000009
【図８】
2021508506.tif 000010
【図９】
2021508506.tif 000011
【図１０】
2021508506.tif 000012
【国際調査報告】
2021508506.tif 000013
2021508506.tif 000014
2021508506.tif 000015
2021508506.tif 000016